(57)【要約】【課題】内枠から前枠を開放する際に球払出通路を流下する遊技球の球零れを簡易な構成で抑制することが可能な遊技機を提供する。【解決手段】  下前枠５ｂの開放時に規制部材３０がコイルばね３１によって付勢されて上流側球通路２３の底壁終端部分２３ｅに続く円弧状規制面３０ａの球通路内への延出量が増えた第１の位置へ回転することにより上流側球通路２３の終端部分の開口面積を縮小して遊技球Ｙの通過を規制し、下前枠５ｂの閉鎖時に規制部材３０がコイルばね３１の付勢力に抗して上流側球通路２３の底壁終端部分２３ｅに続く円弧状規制面３０ａの球通路内への延出量が減少した第２の位置へ回転させることにより上流側球通路２３の終端部分の開口面積を拡大して遊技球Ｙの通過を許容する。【選択図】図８
2011229599.tif 000002
【特許請求の範囲】
【請求項１】
遊技盤を保持する内枠の前面側にヒンジを介して開閉可能に前枠が配置され、前記内枠に設けられた球払出装置から払い出された遊技球を前記前枠に設けられた球受け皿に誘導する球払出通路を備え、前記球払出通路は、前記内枠側の上流側球通路と前枠側の下流側球通路とを含み、前記前枠の閉鎖時に前記上流側球通路の出口部に対向して下流側球通路の入口部が配置されて該上流側球通路と下流側球通路とが連続することにより前記球払出装置から払い出された遊技球が球受け皿に誘導される遊技機であって、
前記上流側球通路の底壁終端部分に通路底壁と平行に回転軸が軸支され外形が前記底壁終端部分に続く円弧状規制面とそれより外形が径方向内側に後退した非規制部とが形成された規制部材が、前記円弧状規制面の回転位置によって前記上流側球通路の終端部分の開口面積を拡縮して遊技球の通過を規制するように設けられ、
前記前枠の開放時に前記規制部材が回転付勢部材によって付勢されて前記上流側球通路の底壁終端部分に続く前記円弧状規制面の球通路内への延出量が増えた第１の位置へ回転することにより上流側球通路の終端部分の開口面積を縮小して遊技球の通過を規制し、前記前枠の閉鎖時に前記規制部材が前記回転付勢部材の付勢力に抗して前記上流側球通路の底壁終端部分に続く前記円弧状規制面の球通路内への延出量が減少した第２の位置へ回転させることにより上流側球通路の終端部分の開口面積を拡大して遊技球の通過を許容することを特徴とする遊技機。
【請求項２】
前記非規制部は円筒状回転体の外周面を軸方向に切欠いて形成された平坦面であり、前記上流側球通路の底壁終端部分に続く前記円弧状規制面の下流側に平坦面が連続するように配置される請求項１記載の遊技機。
【請求項３】
前記規制部材は第１の位置において前記円弧状規制面と対向する通路頂壁までの通路幅が遊技球の直径より狭くなり、第２の位置において前記円弧状規制面と対向する通路頂壁までの通路幅が遊技球の直径より広くなる請求項１又は２記載の遊技機。
【請求項４】
前記規制部材の軸心は前記上流側球通路の終端部分直下かそれより球通路側に配置され、第１の位置において前記規制部材の軸心と円弧状規制面と先頭の遊技球との接点を通過して通路頂壁に至る直線距離が、円弧状規制面の半径と遊技球の直径とを合わせた長さよりも小さくなるように前記規制部材が上流側球通路の出口部近傍に設けられている請求項１乃至３のいずれか１項記載の遊技機。
【発明の詳細な説明】
【技術分野】
【０００１】
本発明は、遊技機に関する。
【背景技術】
【０００２】
パチンコ機などの遊技機には、矩形状の外枠に対して内枠が開閉可能に組み付けられ、該内枠には前枠が開閉可能に設けられている。内枠の前面側には遊技盤が着脱可能に組み付けられている。また、前枠の前面側には球受け皿が設けられている。球受け皿に貯留された遊技球を球発射装置の発射位置へ誘導し、前枠又は内枠に設けた発射ハンドルの操作により球発射装置を作動させる。
【０００３】
また、内枠の背面側には、ホールの遊技機島から供給された遊技球を貯留する貯留タンク、貯留タンクの遊技球を下流側へ誘導するタンクレール、タンクレールから球圧を分散させなから流下させる球通路、球通路より供給された遊技球を、所定の条件に基づいて賞球・貸球として払い出す球払出装置が設けられている。球払出装置から払出通路を経て内枠開口部より払い出された遊技球は前枠に設けられた球受け皿に一時的に貯留される。
【０００４】
ホール店員が、遊技中のパチンコ機の点検や球詰まりを解消するため前枠を開放する場合がある。このとき、球受け皿が満杯で球払出通路まで球払出装置から払い出された遊技球で満たされていたり、入賞により賞球の払出し動作が行われていたりすると、球払出通路に連なる球誘導路に滞留している遊技球が内枠開口部から零れ落ちる可能性がある。
【０００５】
かかる問題を解消するため、内枠の球誘導部の出口部分である内枠開口部に可動部が設けられた遊技機が提案されている。可動部は、前枠が閉じた状態では、内枠開口部と前枠開口部とを接続させる位置にあり、前枠の開放動作と共に可動部が内枠開口部を塞ぐ向きに傾斜して球誘導路から遊技球が零れ落ちるのを防ぐようになっている（特許文献１参照）。
【先行技術文献】
【特許文献】
【０００６】
【特許文献１】特開２００２−１１９７１８号公報
【発明の開示】
【発明が解決しようとする課題】
【０００７】
上述した特許文献１の遊技機においては、球払出通路を流下する遊技球の勢いが速い場合には前枠の開放により可動部が傾斜する前に、或いはその傾斜を乗り越えて遊技球が零れ落ちるおそれがある。また、可動部に遊技球が乗っている状態で遊技球の流下を抑制するので、当該可動部の傾斜が不十分であると、前枠を開放する途中で可動部に堰き止められた先頭側の遊技球が後続の遊技球の球圧で零れ落ちるおそれがある。
【０００８】
また、前枠側の開口部を塞ぐことが可能なシャッターを設け、前枠が開放されるとシャッターが前枠側の開口部を塞ぐ場合には、部品点数が多くなり機構が複雑化して、製造コストやメンテナンスコストも増大する。
【０００９】
本発明の課題は、上記実情に鑑みてなされたものであり、内枠から前枠を開放する際に球払出通路を流下する遊技球の球零れを簡易な構成で抑制することが可能な遊技機を提供することにある。
【課題を解決するための手段】
【００１０】
本発明は上記目的を達成するため、次の構成を備えることを特徴とする。
遊技盤を保持する内枠の前面側にヒンジを介して開閉可能に前枠が配置され、前記内枠に設けられた球払出装置から払い出された遊技球を前記前枠に設けられた球受け皿に誘導する球払出通路を備え、前記球払出通路は、前記内枠側の上流側球通路と前枠側の下流側球通路とを含み、前記前枠の閉鎖時に前記上流側球通路の出口部に対向して下流側球通路の入口部が配置されて該上流側球通路と下流側球通路とが連続することにより前記球払出装置から払い出された遊技球が球受け皿に誘導される遊技機であって、前記上流側球通路の底壁終端部分に通路底壁と平行に回転軸が軸支され外形が前記底壁終端部分に続く円弧状規制面とそれより外形が径方向内側に後退した非規制部とが形成された規制部材が、前記円弧状規制面の回転位置によって前記上流側球通路の終端部分の開口面積を拡縮して遊技球の通過を規制するように設けられ、前記前枠の開放時に前記規制部材が回転付勢部材によって付勢されて前記上流側球通路の底壁終端部分に続く前記円弧状規制面の球通路内への延出量が増えた第１の位置へ回転することにより上流側球通路の終端部分の開口面積を縮小して遊技球の通過を規制し、前記前枠の閉鎖時に前記規制部材が前記回転付勢部材の付勢力に抗して前記上流側球通路の底壁終端部分に続く前記円弧状規制面の球通路内への延出量が減少した第２の位置へ回転させることにより上流側球通路の終端部分の開口面積を拡大して遊技球の通過を許容することを特徴とする。
【００１１】
また、前記非規制部は円筒状回転体の外周面を軸方向に切欠いて形成された平坦面であり、前記上流側球通路の底壁終端部分に続く前記円弧状規制面の下流側に平坦面が連続するように配置されることを特徴とする。
【００１２】
また、前記規制部材は第１の位置において前記円弧状規制面と対向する通路頂壁までの通路幅が遊技球の直径より狭くなり、第２の位置において前記円弧状規制面と対向する通路頂壁までの通路幅が遊技球の直径より広くなることを特徴とする。
【００１３】
前記規制部材の軸心は前記上流側球通路の終端部分直下かそれより球通路側に配置され、第１の位置において前記規制部材の軸心と円弧状規制面と先頭の遊技球との接点を通過して通路頂壁に至る直線距離が、円弧状規制面の半径と遊技球の直径とを合わせた長さよりも小さくなるように前記規制部材が上流側球通路の出口部近傍に設けられていることを特徴とする。
【発明の効果】
【００１４】
上述した遊技機を用いれば、前枠の開閉動作に応じて規制部材を僅かに回転させて上流側球通路の底壁終端部分に続く円弧状規制面の球通路内への延出量が増えた第１の位置と、円弧状規制面の球通路内への延出量が減少した第２の位置とで切り替えることにより、上流側球通路内で遊技球を堰き止めたり流下させたりすることができる。また、円弧状規制面で遊技球の流下を堰き止めるため、球圧により規制部材の回転動作が妨げられることがなく、球噛みも起こり難い。また、上流側球通路の底壁終端部分に続く円弧状規制面の球通路内への延出量を回転により変化させているので、上流側球通路に滞留する遊技球と接触する部分の高さ方向の移動がほとんどないので、球圧の影響を受け難く規制部材の回転動作が円滑に行える。
以上より、簡易な構成で前枠の開放動作にともなって上流側球通路に滞留する遊技球が零れ落ちるのを防ぐことができ、前枠の閉鎖にともなって上流側球通路と下流側球通路とを連通させて遊技球を流下させることができる。
【００１５】
また、非規制部は円筒状回転体の外周面を軸方向に切欠いて形成された平坦面であり、上流側球通路の底壁終端部分に続く円弧状規制面の下流側に平坦面が連続するように配置されるので、平坦面が対向する通路頂壁と平行に向き合うと、球通路の通路幅は遊技球の直径より確実に広がるので、通路底壁となる円弧状規制面の球通路内への延出量を周長により調整し易くなる。
【００１６】
また、規制部材は第１の位置において円弧状規制面と対向する通路頂壁までの通路幅が遊技球の直径より狭くなり、先頭の遊技球を円弧状規制面と対向する通路頂壁との間で挟み込んで確実に堰き止めることができる。また、第２の位置において円弧状規制面と対向する通路頂壁までの通路幅が遊技球の直径より広くなるので、遊技球をスムーズに下流側球通路へ流下させることができる。また、規制部材を第１の位置と第２の位置とで僅かに回転させるだけで球通路を拡縮する切換えが瞬時に行なえるため、球こぼれが起こり難い。
【００１７】
また、規制部材が第１の位置へ回転すると、規制部材の軸心と円弧状規制面と先頭の遊技球との接点を通過して通路頂壁に至る直線上において、円弧状規制面から対向する通路頂壁までの直線距離が遊技球の直径より短くなるため、上流側球通路にある先頭の遊技球を確実に堰き止めることができる。また、円弧状規制面が第１の位置へ回転する場合には、対向する通路頂壁とで嵌め合う向きに回転するので遊技球を挟み込んで確実に堰き止めることができる。
【図面の簡単な説明】
【００１８】
【図１】パチンコ機の正面図である。
【図２】図１のパチンコ機の背面図である。
【図３】図１のパチンコ機の前枠を開放した状態の要部拡大斜視図である。
【図４】上流側球通路と下流側球通路の接続状態を示す背面側斜視図及び側面図である。
【図５】上流側球通路の上方斜視図及び下方斜視図である。
【図６】上流側球通路の分解斜視図である。
【図７】規制部材の上方斜視図、正面図、断面図及び下方斜視図である。
【図８】規制部材の動作前後の状態を示す上流側球通路と下流側球通路の接続部の断面説明図である。
【図９】他例に係る上流側球通路の分解斜視図である。
【図１０】図９の規制部材の動作前後の状態を示す斜視図である。
【発明を実施するための形態】
【００１９】
以下、本発明の実施形態について図面を参照しながら具体的に説明する。
図１及び図２を参照して本実施形態に係る遊技機の概略構成について説明する。本実施例としては、遊技機の一例としてパチンコ機について説明するものとする。
【００２０】
先ずパチンコ機１の概略構成について説明すると、図１においてパチンコ機１の外形をなす矩形状の外枠２の側部に対して内枠ヒンジ４ａ，４ｂにより内枠３（図２参照）が開閉可能に取り付けられ、該内枠３の側部に対して前枠ヒンジ５ｄ，５ｅにより上前枠５ａ及び下前枠５ｂが開閉可能に取り付けられている。
【００２１】
上前枠５ａの中央部には遊技者が遊技盤６を視認できる窓部（ガラス枠）７が設けられている。該窓部７の上方にはスピーカー８や装飾部（図示せず）などが設けられる。また、窓部７の下方に配置された下前枠５ｂには、貸球や賞球を貯留し図示しない球発射装置へ球を誘導する球受け皿９が設けられている。球受け皿９の右側には、図示しない球発射装置を作動及び遊技球の発射力を調整するための発射ハンドル１０が設けられている。
【００２２】
遊技盤６の盤面上に形成される遊技領域内には、中央部に図柄表示装置（液晶表示装置）１１を備えたセンター役物１１ａが設けられ、その周囲には図示しない釘、スルーチャッカー１２、風車１３、電動チューリップ１４、アタッカー１５、遊技盤レール１６、サイドランプ１７などの盤面部品やアウト球（電動チューリップ１４，アタッカー１５に入賞しなかった遊技球）を回収するアウト口１８などが設けられている。
【００２３】
図２において、内枠３の背面側上辺部には貯留タンク１９が設けられ、貯留タンク１９にはパチンコ機１が配置されたホールの遊技機島から遊技球が供給される。貯留タンク１９は、球供給方向下流側（図２の右端側）に設けられるタンクレール２０に向けて底部が下方に傾斜するように形成されている。また、タンクレール２０は上下方向に流下する球通路２１を通じて球払出装置２２と接続されている。球払出装置２２は球通路２１より供給される遊技球を貸球、賞球として順次払い出す。球払出装置２２より払い出された遊技球は、下流側の球通路２２ａを経て内枠３に設けられる上流側球通路２３及び下前枠５ｂに設けられる下流側球通路２４（図３参照）を通じて開口部５ｃを通じて球受け皿９（図１参照）へ払い出される。
【００２４】
また、遊技盤６の背面側は盤裏カバー２５に覆われている。この盤裏カバー２５には、図柄表示装置１１とこれを制御する画像処理基板等（図示せず）が覆われている。また、パチンコ機１の遊技動作を統括制御する主制御基板は、基板収納ケース２６に収納されて封止されている。図示しないが、主制御基板のほかに、球払出装置２２の動作を制御する払出制御基板、球発射装置（図示せず）の動作を制御する発射制御基板などが設けられている。
【００２５】
また、内枠３の開放端側（図１の右端側，図２の左端側）にはシリンダ錠２７（図１参照）に連繋した施錠装置２８が設けられている。シリンダ錠２７はキーを差し込んで一方向へ回転させると外枠２と内枠３が開錠され、他方向へ回転させると上前枠５ａと内枠３が開錠するようになっている。
【００２６】
次に、球払出装置２２（図２参照）より払い出された遊技球の球払出通路の構成について、図３乃至図８を参照して説明する。図３において、球払出通路Ｐは、内枠３側の上流側球通路２３と下前枠５ｂ側の下流側球通路２４とを含み、下前枠５ｂの閉鎖時に上流側球通路２３の出口部２３ａに対応して下流側球通路２４の入口部２４ａが配置されて該上流側球通路２３と下流側球通路２４とが連続することにより球払出装置２２から払い出された遊技球が球受け皿９に誘導されるようになっている。
【００２７】
先ず、上流側球通路２３の構成について、図５乃至図８を参照して説明する。図５（ａ）（ｂ）に示すように、上流側球通路２３は、第１ケース体２３Ａと第２ケース体２３Ｂとが前後に組み合わせて形成されている。図５（ａ）に示すように、上流側球通路２３の上流側には、球通路２２ａ（図３参照）に接続する入口部２３ｂが開口して設けられている。上流側球通路２３は、入口部２３ｂより遊技球が流下して前方に向けて流下するように誘導され、更に前方に向かって階段状に流れ下って出口部２３ａに誘導される。また、図５（ｂ）に示すように、規制部材３０は、上流側球通路２３の出口部２３ａ近傍において、前方から下方に向けて屈曲若しくは湾曲して方向転換する屈曲部分の底壁側（内側）に回転可能に軸支されている。
【００２８】
図５（ｂ）に示すように、規制部材３０は、第１ケース体２３Ａと第２ケース体２３Ｂにより後述する回転軸３０ｅ（図６参照）を前後に挟み込むように組み付けられて回転可能に軸支されている。回転軸３０ｅは遊技球が流下する通路底壁と平行に（球通路の通路幅方向に沿って）設けられている。
【００２９】
また、図８（ａ）（ｂ）に示すように、上流側球通路３０の終端部分２３ｅに続く規制部材３０の外形は、円弧状規制面３０ａとそれより外形が径方向内側に後退した非規制面３０ｂとが形成されている。規制部材３０は、円弧状規制面３０ａの回転位置によって上流側球通路２３の開口面積を拡縮して遊技球Ｙの通過を規制する。下前枠５ｂの開放時に規制部材３０がコイルばね３１（回転付勢部材）によって付勢されて上流側球通路２３の底壁終端部分２３ｅに続く円弧状規制面３０ａの球通路内への延出量が増えた第１の位置（図８（ｂ）参照）へ回転することにより上流側球通路２３の終端部分の開口面積を縮小して遊技球の通過を規制する。また、下前枠５ｂの閉鎖時に規制部材３０がコイルばね３１（回転付勢部材）の付勢力に抗して上流側球通路２３の底壁終端部分２３ｅに続く円弧状規制面３０ａの球通路内への延出量が減少した第２の位置（図８（ａ）参照）へ回転させることにより上流側球通路２３の終端部分の開口面積を拡大して遊技球の通過を許容する。
【００３０】
図６において、規制部材３０は、円筒状回転体の外周面を軸方向に切欠いて円弧状規制面３０ａと非規制面３０ｂ（非規制部）が形成されている。円弧状規制面３０ａは、回転軸３０ｅの軸心（中心軸）を中心とする所定半径の円筒面で形成されている。本実施例では、非規制面３０ｂ（非規制部）は、円筒状回転体の円形断面を弦によって切断（Ｄカット）することで形成された平坦面である。非規制面３０ｂは、円弧状規制面３０ａより外形が軸心方向に後退した部位であれば、他の形状、例えば曲率の小さい円弧や曲面、或いは凹凸部等であっても良い。
【００３１】
図６において、規制部材３０は軸孔３０ｄに回転軸３０ｅが挿通して嵌め込まれ当該回転軸３０ｅ回りに回転可能に軸支される。規制部材３０の一端側には軸受保持部３０ｆ及びばね係止部３０ｉが延設されている（図７（ｂ）（ｃ）参照）。また、規制部材３０の他端側には突き当てレバー３０ｇが延設されている（図７（ｂ）参照）。上記軸受保持部３０ｆ及び回転軸３０ｅに軸受３０ｈが各々嵌め込まれる。この両側軸受３０ｈを第１ケース体２３Ａと第２ケース体２３Ｂとで挟み込むことで、規制部材３０が出口部２３ａに回転可能に軸支される（図５（ｂ）参照）。また、軸受保持部３０ｆにはコイルばね３１（回転付勢部材）が嵌め込まれる。コイルばね３１の一端３１ａは、規制部材３０に設けられたばね係止部３０ｉに係止され（図５（ｂ）参照）、他端３１ｂは第１ケース体２３Ａの係止孔２３ｃ（図６参照）に係止されている（図５（ａ）参照）。これにより、規制部材３０は、上流側球通路２３の開口面積を縮小する方向（図８（ｂ）時計回り方向）にコイルばね３１によって常時付勢されている。
【００３２】
図８（ｂ）に示すように、第１の位置において規制部材３０の軸心３０ｊと円弧状規制面３０ａと先頭の遊技球Ｙとの接点を通過して通路頂壁２３ｄに至る直線距離Ｌが、円弧状規制面３０ａの半径と遊技球Ｙの直径とを合わせた長さよりも小さくなるように規制部材３０が上流側球通路２３の出口部２３ａ近傍に設けられている。即ち、規制部材３０が第１の位置へ回転すると、規制部材３０の軸心と円弧状規制面３０ａと先頭の遊技球Ｙとの接点を通過して通路頂壁２３ｄに至る直線上において、円弧状規制面３０ａから対向する通路頂壁２３ｄまでの直線距離が遊技球Ｙの直径より短くなる。このため、上流側球通路２３にある先頭の遊技球Ｙを確実に堰き止めることができる。
【００３３】
また、規制部材３０は、回転軸３０ｅの軸心３０ｊが上流側球通路２３の底壁終端部分２３ｅの直下（鉛直線Ｖ上）か若しくは底壁終端部分２３ｅより軸心３０ｊが僅かに球通路側（下流側）に突出した位置となるように配置されている。言いかえれば、規制部材３０は、円弧状規制面３０ａの頂上部（頂点）が底壁終端部分２３ｅの直下、若しくは底壁終端部分２３ｅが円弧状規制面３０ａの頂上部を覆うように僅かに球通路側へ突出した位置となるように配置されている（円弧状規制面３０ａが底壁終端部分２３ｅに続く通路底壁の終端部分を形成している）。これにより、規制部材３０が第１の位置と第２の位置のいずれの位置へ回転しても上流側球通路２３に滞留する遊技球Ｙと接触する部分の高さ方向の移動がほとんどないので、球圧の影響を受け難く規制部材３０の回転動作が円滑に行える。また、円弧状規制面３０ａが第１の位置へ回転する場合には、対向する通路頂壁２３ｄとで嵌め合う向きに回転するので遊技球Ｙを挟み込んで確実に堰き止めることができる。
【００３４】
また、第２ケース体２３Ｂの通路底壁をなす終端部分２３ｅの直下には、円弧状規制面３０ａと同心円を形成する所定の曲率で円弧状収納部２３ｆが形成されている（図６参照）。図８（ａ）に示す第２の位置にある規制部材３０が図８（ｂ）に示す第１の位置へ回転することで、円弧状収納部２３ｆに収納されている円弧状規制面３０ａが球通路側に延出する延出量が増えて円弧状規制面３０ａと対向する通路頂壁２３ｄとの通路幅Ｄは遊技球Ｙの直径より狭めるようになっている。尚、円弧状規制面３０ａの周長は、規制部材３０が第２の位置に回転したときに上流側球通路２３の底壁終端部分２３ｅに続く円弧状規制面３０ａの球通路側への延出量が減るが、遊技球Ｙを出口部２３ａに向けて流下するように誘導する長さだけ延出していれば足りる。
【００３５】
次に、下流側球通路２４の構成について図３及び図４を参照して説明する。図３において、下流側球通路２４の入口部２４ａは、下前枠５ｂの背面側に設けられている。下前枠５ｂを閉じた状態では、上流側球通路２３の出口部２３ａと下流側球通路２４の入口部２４ａが対向配置され、遊技球を球受け皿９に向けて誘導するようになっている（図４（ａ）（ｂ）参照）。入口部２４ａに流下した遊技球は、下前枠５ｂの背面側から前方に誘導され出口部２４ｂへ流下するようになっている（図４（ｂ）参照）。
【００３６】
また、下流側球通路２４の入口部２４ａの近傍には、突き当て突部２４ｃが突設されている。下前枠５ｂを内枠３に閉じる際に、突き当て突部２４ｃは、突き当てレバー３０ｇを押動することにより（図４（ａ）（ｂ）参照）、規制部材３０をコイルばね３１の付勢に抗して回転させて、上流側球通路２３と下流側球通路２４とを連通させる。また、下流側球通路２４の出口部２４ｂ（図４（ｂ）参照）は、下前枠５ｂに設けられた開口部５ｃに連通している（図１参照）。また、下流側球通路２４には、下前枠５ｂが内枠３に閉じた状態のときに、規制部材３０の前方で対向する対向起立壁２４ｄが入口部２４ａの上方に形成されている。対向起立壁２４ｄは、下前枠５ｂが内枠３に閉じた状態のときに、規制部材３０に対して上流側球通路２３の通路頂壁２３ｄよりも前方に離間した位置に配置されるように形成されている。これにより、後述する規制部材３０の動作の際に（特には、円弧状規制面３０ａが遊技球を堰き止める際に）、円弧状規制面３０ａと対向起立壁２４ｄによって一時的にも遊技球を堰き止める（挟み込む）ことをなくすことができるので、それによって規制部材３０の回転が途中で止まることがなくなり、確実に円弧状規制面３０ａと通路頂壁２３ｄとの所定位置で遊技球を堰き止めることができる。
【００３７】
次に、規制部材３０の開閉動作について図８（ａ）（ｂ）を参照して説明する。図８（ａ）において、下前枠５ｂが内枠３に閉鎖しているときには、突き当て突部２４ｃは、突き当てレバー３０ｇを押動することにより（図４（ａ）（ｂ）参照）、規制部材３０をコイルばね３１の付勢に抗して反時計回り方向へ第２の位置まで回転させる。このとき、第２の位置において規制部材３０は上流側球通路２３の終端部分２３ｅに続く円弧状規制面３０ａが円弧状収納部２３ｆに収納され、円弧状規制面３０ａの球通路側への延出量が減るため、円弧状規制面３０ａの下流端と対向する通路頂壁２３ｄとの通路幅Ｄが遊技球Ｙの直径より大きくなる。このとき、非規制面（平坦面）３０ｂは鉛直方向（鉛直線Ｖ）と平行となるため、球通路下流側に向けて更に開口面積が拡大する。これにより、上流側球通路２３と下流側球通路２４とが連通し、遊技球Ｙは出口部２３ａから入口部２４ａへスムーズに流下する。
【００３８】
また、下前枠５ｂを内枠３より開放すると（図３参照）、突き当て突部２４ｃによる突き当てレバー３０ｇの押動が解除されるため、図８（ｂ）に示すように規制部材３０がコイルばね３１の付勢方向（反対方向；図８（ｂ）時計回り方向）に第１の位置へ回転する。このとき、上流側球通路２３の終端部分２３ｅに続いて球通路側に延出する円弧状規制面３０ａの延出量が増大する。第１の位置において、規制部材３０の軸心と円弧状規制面３０ａと先頭の遊技球Ｙとの接点を通過して通路頂壁２３ｄに至る直線上において、円弧状規制面３０ａから対向する通路頂壁２３ｄまでの直線距離（通路幅Ｄ）が遊技球Ｙの直径より短くなる。尚、非規制面３０ｂは円弧状規制面３０ａより下流側に配置される。これにより、先頭の遊技球Ｙは円弧状規制面３０ａと対向する通路頂壁２３ｄとに挟み込まれて確実に堰き止められる。
【００３９】
このように下前枠５ｂの開閉動作に応じて規制部材３０を僅かに回転させて上流側球通路２３の終端部分２３ｅに続く通路底壁が円弧状規制面３０ａとなる第１の位置とそれより外形が軸心方向に後退した非規制面３０ｂとなる第２位置とで切り替えることにより、遊技球Ｙを堰き止めたり流下させたりすることができる。また、円弧状規制面３０ａで遊技球Ｙの流下を堰き止めるため、球圧により規制部材３０の回転動作が妨げられることがなく、球噛みや球こぼれは起こり難い。また、上流側球通路２３の終端部分２３ｅに続く円弧状規制面３０ａの延出量を回転により変化させているので、規制部材３０に当接して上流側球通路２３に滞留している或いは流下している遊技球Ｙの高さがほとんど変化せず球圧により規制部材３０の回転動作に与える影響が少ない。
【００４０】
次に、規制部材の他例について図９及び図１０を参照して説明する。
図９において、規制部材３２は、円弧状外周面３２ａの一部に平坦面３２ｂが形成されている。規制部材３２の一端側の延設部３２ｄにはコイルばね３１がキャップ３３により組み付けられている。コイルばね３１の一端３１ａはキャップ３３の切欠き３３ａに係止し、他端３１ｂは第１ケース体２３Ａの係止部２３ｇに係止するように組み付けられる。また、規制部材３２の他端側には軸部３２ｅが延設されている。
延設部３２ｄの外周にはガイド部３４が嵌め込まれ第１ケース体２３Ａと第２ケース体３２Ｂとに固定される。また、軸部３２ｅには軸受３２ｆが嵌め込まれる。このガイド部３４と軸受３２ｆを第１ケース体３２Ａと第２ケース体３２Ｂで挟み込むことで、規制部材３２は、上流側球通路２３に回転可能に軸支される。
【００４１】
第２ケース体２３Ｂの通路底壁をなす終端部分２３ｅの直下には、円弧状規制面３０ａと同心円を形成する所定の曲率で円弧状収納部２３ｆが形成されている（図９参照）。図１０（ａ）に示す第２の位置にある規制部材３２が図１０（ｂ）に示す第１の位置へ回転することで、終端部分２３ｅに連続する円弧状規制面３２ａの球通路側への延出量が増大するようになっている。
【００４２】
規制部材３２の軸部３２ｅには、係止リング３２ｇが一体に嵌め込まれる。この係止リング３２ｇの外側面には係止ピン３２ｈが突設されている。また、内枠３側に組み付けられる取付部材３２ｉ，３２ｊには、回転アーム３２ｋが軸ピン３２ｌを中心に回転可能に組み付けられる。回転アーム３２ｋの先端には係止凹部３２ｍが形成されている。
【００４３】
図１０（ａ）に示すように、上流側球通路２３は、係止リング３２ｇに突設された係止ピン３２ｈが回転アーム３２ｋの係止凹部３２ｍに挿入されて内枠３側に組み付けられる。また、下流側球通路２４の入口部２４ａの外壁面には、突き当て突部２４ｃが設けられている。本実施例では、突き当て突部２４ｃが規制部材３２の軸心より下側に設けられている。当該下流側球通路２４の外壁面に設けられる突き当て突部２４ｃの位置が規制部材３２軸心より下方に離れた位置に配置されているので、第１ケース体２３Ａの通路頂壁２３ｄの開口端２３ｈが下前枠５ｂに設けられる下流側球通路２４の入口部２４ａに進入するように延設することができる。
【００４４】
なお、通路頂壁２３ｄは、上述した実施例の通路頂壁２３ｄと下流側球通路２４の対向起立壁２４ｄとの下前枠５ｂが内枠３に閉じた状態における位置関係（図８（ａ）参照）のように、通路頂壁２３ｄに段差部を形成し、開口端２３ｈ側（図示しない段差部より下流側）の通路頂壁２３ｄが規制部材３２から前方に所定距離だけ離間するように形成してもよい。具体的には、その段差部は、規制部材３２が第１の位置（図１０（ｂ）参照）のときに、円弧状規制面３２ａと通路頂壁２３ｄとによって堰き止められる先頭の遊技球において、その遊技球が通路頂壁２３ｄと当接する位置（接点）よりも下流側でその近傍に形成することが好ましい。そして、その段差部より下流側の通路頂壁２３ｄは、第１の位置の円弧状規制面３２ａから遊技球の直径の長さよりも離間するように形成することが好ましい。この場合には、その段差部を通過した遊技球に関して規制部材３２（円弧状規制面３２ａ）と通路頂壁２３ｄとで堰き止めずに（挟み込まずに）下流側球通路２４に送り出すことで球噛みを抑制し、遊技球が零れ落ちるのを防止することができる。すなわち、規制部材３２（円弧状規制面３２ａ）と通路頂壁２３ｄとで遊技球を堰き止め可能な位置（領域）を段差部よりも上流側だけと小さくすることで、球噛みを抑制し、規制部材３２の回転をスムーズに行うことができ効果的に遊技球を堰き止めることができる。
【００４５】
下前枠５ｂが内枠３に閉鎖しているときには、突き当て突部２４ｃは、回転アーム３２ｋを押動することにより（図１０（ａ）参照）、規制部材３２をコイルばね３１の付勢に抗して図１０（ａ）において時計周り方向へ第２の位置へ回転させる。このとき、第２の位置において規制部材３２は上流側球通路２３の終端部分２３ｅに続く円弧状規制面３２ａの球通路側への延出量が減るため、円弧状規制面３２ａと対向する通路頂壁２３ｄとの通路幅Ｄが下流側に向かって拡大する。これにより、上流側球通路２３と下流側球通路２４とが連通し、遊技球Ｙは出口部２３ａから入口部２４ａに流下する。また、回転アーム３２ｋを介して規制部材３２を回転させることで、突き当て突部２４ｃによる僅かな押動で規制部材３２を大きく回転させることができ、コンパクト化を図ることができる。
【００４６】
また、下前枠５ｂを内枠３より開放すると（図１０（ｂ）参照）、突き当て突部２４ｃによる回転アーム３２ｋの押動が解除されるため、規制部材３２がコイルばね３１の付勢方向（反対方向；図１０（ｂ）反時計回り方向）に第１の位置まで回転する。このとき、上流側球通路２３の終端部分２３ｅに続く円弧状規制面３２ａの通球路側への延出量が増大する。第１の位置において規制部材３２の円弧状規制面３２ａと対向する通路頂壁２３ｄとの通路幅Ｄは遊技球Ｙの直径より狭まる。尚、非規制面３２ｂは円弧状規制面３２ａより下流側に配置される。これにより、先頭の遊技球Ｙは円弧状規制面３２ａと対向する通路頂壁２３ｄとに挟み込まれて確実に堰き止められる。
【００４７】
尚、前枠が上前枠５ａと下前枠５ｂに分割されている場合について説明したが、前枠が一体に形成されている場合にも適用できる。
また、規制部材３０の円弧状外周面３０ａの一部に設けられる非円弧状外周面は平坦面３０ｂに限らず、遊技球Ｙの流下を妨げることがなければ曲面等の他の形状であっても良い。
また、上述した実施形態では遊技機の一例としてパチンコ機について説明したが、他の遊技機、例えば雀球遊技機やアレンジボール遊技機などに適用してもよい。
【符号の説明】
【００４８】
１  パチンコ機
２  外枠
３  内枠
４ａ，４ｂ  内枠ヒンジ
５ａ  上前枠
５ｂ  下前枠
５ｃ  開口部
５ｄ，５ｅ  前枠ヒンジ
６  遊技盤
７  窓部
８  スピーカー
９  球受け皿
１０  発射ハンドル
１１  図柄表示装置(液晶表示装置)
１１ａ  センター役物
１２  スルーチャッカー
１３  風車
１４  電動チューリップ
１５  アタッカー
１６  遊技盤レール
１７  サイドランプ
１８  アウト口
１９  貯留タンク
２０  タンクレール
２１  球通路
２２  球払出装置
２２ａ  球通路
Ｐ  球払出通路
２３  上流側球通路
２３ａ，２４ｂ  出口部
２３ｂ，２４ａ  入口部
２３ｃ  係止孔
２３ｄ  通路頂壁
２３ｅ  終端部分
２３ｆ  円弧状収納部
２３ｇ  係止部
２３ｈ  開口端
Ｄ  通路幅
２３Ａ  第１ケース体
２３Ｂ  第２ケース体
２４  下流側球通路
２４ｃ  突き当て突部
２４ｄ  対向起立壁
２５  盤裏カバー
２６  基板収納ケース
２７  シリンダ錠
２８  施錠装置
３０，３２  規制部材
３０ａ，３２ａ  円弧状規制面
３０ｂ，３２ｂ  非規制面（平坦面）
３０ｄ  軸孔
３０ｅ  回転軸
３０ｆ  軸受保持部
３０ｇ  突き当てレバー
３０ｈ，３２ｆ  軸受
３０ｉ  ばね係止部
３０ｊ  軸心
３１  コイルばね
３１ａ  一端
３１ｂ  他端
３２ｄ  延設部
３２ｅ  軸部
３２ｇ  係止リング
３２ｈ  係止ピン
３２ｉ，３２ｊ  取付部材
３２ｋ  回転アーム
３２ｌ  軸ピン
３２ｍ  係止凹部
３３  キャップ
３４  ガイド部
【図１】
2011229599.tif 000003
【図２】
2011229599.tif 000004
【図３】
2011229599.tif 000005
【図４】
2011229599.tif 000006
【図５】
2011229599.tif 000007
【図６】
2011229599.tif 000008
【図７】
2011229599.tif 000009
【図８】
2011229599.tif 000010
【図９】
2011229599.tif 000011
【図１０】
2011229599.tif 000012